(57)【要約】  【課題】  扉を閉じた状態で、光や風などの漏洩が少なく、室内の断熱性、気密性を維持できると共に、扉を大きく開くことができる扉の取付構造およびこれに使用する蝶番を提供することである。  【解決手段】  竪枠１１および上枠を有する扉枠内に扉１０を蝶番１にて開閉自在に取り付ける扉１０の取付構造であって、扉１０の端面１０ａがＬ字形の水平断面を有し、扉１０で扉枠内開口を閉じた状態で、扉１０の前記Ｌ字形端面１０ａが竪枠１１の内面１１ｂおよび側面１１ａに対向し、蝶番１の一方の羽根板３は、蝶番１の芯棒４から竪枠側面１１ａに向かって延び竪枠側面１１ａから竪枠内面１１ｂに接面して竪枠１１に固定されるように曲折されており、他方の羽根板２が前記一方の羽根板３と同じ曲折形状を有し、蝶番１の前記芯棒から竪枠側面１１ａに向かって延び扉の前記Ｌ字形端面１０ａに固定されている。【選択図】  図４
0003113489.tif 000002
【実用新案登録請求の範囲】
【請求項１】
竪枠および上枠を有する扉枠内に扉を蝶番にて開閉自在に取り付ける扉の取付構造であって、
扉の端面がＬ字形の水平断面を有し、扉で扉枠内開口を閉じた状態で、扉の前記Ｌ字形端面が前記竪枠の内面および側面に対向し、
蝶番の一方の羽根板は、蝶番の芯棒から竪枠側面に向かって延び竪枠側面から竪枠内面に接面して竪枠に固定されるように曲折されており、他方の羽根板が前記一方の羽根板と同じ曲折形状を有し、蝶番の前記芯棒から竪枠側面に向かって延び扉の前記Ｌ字形端面に固定されていることを特徴とする扉の取付構造。
【請求項２】
請求項１記載の扉の取付構造に使用する蝶番であって、芯棒に対して扉枠取付用羽根板と、扉端面取付用羽根板とが回転自在に取り付けられており、
前記扉枠取付用羽根板は、竪枠側面部に接面する部位と、竪枠内面に接面する部位とを有する曲折形状を有し、
前記扉端面取付用羽根板は、前記扉枠取付用羽根板と同じ曲折形状を有し、前記竪枠の内面および側面に対向する水平断面Ｌ字形の扉端面に固定されていることを特徴とする蝶番。
【請求項３】
前記扉枠取付用羽根板と扉端面取付用羽根板とが芯棒の軸方向に並設されており、扉端面取付用羽根板に、扉の取付け位置を竪枠の幅方向に沿って調整可能にするための長穴が設けられていると共に、両羽根板間の間隙を調整して扉の高さ調整を行うための手段を有する請求項２記載の蝶番。
【考案の詳細な説明】
【技術分野】
【０００１】
本考案は、建築物における屋内用、屋外用などの扉を扉枠に開閉自在に取り付ける扉の取付構造および蝶番に関する。
【背景技術】
【０００２】
一般に、住宅等の建築物では、室内出入口等に扉枠を設け、この扉枠に蝶番にて扉を開閉自在に取り付けている。
【０００３】
図６（ａ）に示すように、端面１０ａがL字形の水平断面をもつ扉１０は、欧米で広く使用されている。このような扉１１を扉枠に取付けた場合、扉を閉じた状態において、扉端面１０ａが扉枠の竪枠１１内面と竪枠１１の側面に対面できる構造となっているので、光や風などの漏れを少なくでき、室内の断熱性、気密性が向上する。このような扉を取付けるには、図６（ｂ）に示すような打込み式蝶番８０が一般に使用されている。この蝶番８０は、２つの打ち込み部８１，８２を扉端面１０ａおよび竪枠１１にそれぞれ打ち込んで、扉１０を取付ける。
【０００４】
しかしながら、打込み式蝶番８０を用いる場合、取り付けの際の微調整では、微調整に時間がかかるなど施工が容易でなく、特に取り付け後の微調整は非常に困難であった。また、打込み式蝶番８０で扉１０の取付けた場合、扉１０を大きく開くと、竪枠１１を垂直に立てるために必要な隙間１４を隠すためのケーシング１２と扉１０がぶつかるので扉１０を大きく開くことができず、扉の開き角度は１２０度程度が限界であった。また、扉１０がケーシング１２に当たると、扉１０の表面が傷つくという問題もある。
【０００５】
一方、扉を扉枠に取付けるにあたって、芯棒に２枚の羽根板を回転自在に取付けた蝶番が多く用いられている。このような羽根板式の蝶番では、羽根板をビス止め等により扉と扉枠に取り付けるため施工が容易であり、打込み式蝶番に比べて扉の保持力もよい等の利点がある。
【０００６】
前記羽根板式の蝶番については、従来より種々の特徴を備えた数多くのものが提案されてきており、例えば特許文献１では、蝶番の回転軸の中心が水平断面において竪枠側面側に位置すような扉の取付構造とすることにより、扉を開いた状態で扉枠開口部を従来より広くすることができる。また、特許文献２では、蝶番の回転軸の中心が、水平断面において竪枠側面側に位置した上で、さらに前記竪枠側面と同じラインの面に位置するような扉の取付構造とすることにより、扉を１８０度まで回転させたときに、竪枠側面と扉との間隙を極力小さくし、竪枠側面前方のより有効なスペースを確保できる、といった改良がなされている。。
【特許文献１】特開平１０−６８２６２号公報
【特許文献２】特開平１１−１３１８９１号公報
【考案の開示】
【考案が解決しようとする課題】
【０００７】
しかしながら、羽根板式の蝶番では、前記した端面がL字形の水平断面をもつ扉の取付構造には使えないといった問題がある。その一方で、羽根板式の蝶番を用いた通常の扉の取付構造では、扉を閉じた状態で、扉端面と竪枠内面との間に隙間ができ、ここから光や風などが漏洩しやすく、室内の断熱性、気密性が充分でないという問題がある。
【０００８】
従って、本考案の主たる課題は、扉を閉じた状態で、光や風などの漏洩が少なく、室内の断熱性、気密性を維持できると共に、扉を大きく開くことができる扉の取付構造およびこれに使用する蝶番を提供することである。
本考案の他の課題は、扉を扉枠に取り付ける際および取り付け後における微調整が容易にできる扉の取付構造およびこれに使用する蝶番を提供することである。
【課題を解決するための手段】
【０００９】
上記課題を解決するための本考案にかかる扉の取付構造は、竪枠および上枠を有する扉枠内に扉を蝶番にて開閉自在に取り付けるものであって、扉の端面がＬ字形の水平断面を有し、扉で扉枠内開口を閉じた状態で、扉の前記Ｌ字形端面が前記竪枠の内面および側面に対向し、蝶番の一方の羽根板は、蝶番の芯棒から竪枠側面に向かって延び竪枠側面から竪枠内面に接面して竪枠に固定されるように曲折されており、他方の羽根板が前記一方の羽根板と同じ曲折形状を有し、蝶番の前記芯棒から竪枠側面に向かって延び扉の前記Ｌ字形端面に固定されていることを特徴とする。
【００１０】
また、上記扉の取付構造に使用するための本考案にかかる蝶番は、芯棒に対して扉枠取付用羽根板と、扉端面取付用羽根板とが回転自在に取り付けられており、前記扉枠取付用羽根板は、竪枠側面部に接面する部位と、竪枠内面に接面する部位とを有する曲折形状を有し、前記扉端面取付用羽根板は、前記扉枠取付用羽根板と同じ曲折形状を有し、前記竪枠の内面および側面に対向する水平断面Ｌ字形の扉端面に固定されていることを特徴とする。
ここで、上記扉枠取付用羽根板と扉端面取付用羽根板とが芯棒の軸方向に並設されており、扉端面取付用羽根板に、扉の取付け位置を竪枠の幅方向に沿って調整可能にするための長穴が設けられていると共に、両羽根板間の間隙を調整して扉の高さ調整を行うための手段を有するのが好ましい。
【考案の効果】
【００１１】
本考案にかかる扉の取付構造およびこれに使用する蝶番によれば、以下の効果がある。
（1）扉の端面がＬ字形の水平断面を有し、扉で扉枠内開口を閉じた状態で、扉の前記Ｌ字形端面が前記竪枠の内面および側面に対向する構造を有するので、光や風などの漏洩が少なく、室内の断熱性、気密性を維持できる。
（2）蝶番の２つの羽根板は扉端面の水平断面形状に合わせて曲折されて、竪枠および扉端面にそれぞれ取付けられているので、通常の羽根板式蝶番と同様に扉の保持力に優れている。
（3）前記羽根板は基端部が蝶番の芯棒から竪枠側面に向かって延びる構造を有しているので、扉の回転中心を竪枠側面から離隔させることができ、その結果、扉を大きく開いても、竪枠側面のケーシングに扉がぶつかるのを回避することができ、扉の開き角度を１８０度まで広げることが可能である。
（4）さらに、扉端面取付用羽根板に、扉の取付け位置を竪枠の幅方向に沿って調整可能にするための長穴を設けると共に、両羽根板間の間隙を調整して扉の高さ調整を行うための手段を設ける場合には、扉を扉枠に取り付ける際および取り付け後における微調整が容易になる。
【考案を実施するための最良の形態】
【００１２】
以下、本考案の一実施形態を図面に基づき説明する。図１（ａ）はこの実施形態にかかる蝶番の一例を示す正面図、同図（ｂ）はその平面図である。図２は図１のＸ−Ｘ線断面図である。図３はこの実施形態にかかる扉の取付構造の一例を示す断面図である。図４は図３の要部拡大断面図である。図５は図３において扉を開放する動作状態を示す断面図である。
【００１３】
図１（ａ）、（ｂ）に示す蝶番１は、回転軸となる芯棒４の軸方向に沿って扉端面取付用羽根板２と扉枠取付用羽根板３とがスカート付のリング５を介して上下に並設されている。両羽根板２、３は、図２（ａ）、（ｂ）に示すように、それぞれ基端部を芯棒４の周面に巻回して軸受部２ａ、３ａが形成されている。これによって、両羽根板２、３は、芯棒４に回転自在に取り付けられている。リング５は芯棒４に取付けられている。
【００１４】
下側の軸受部３ａの内面には雌ねじ部が形成されており、この雌ねじ部に高さ調整ネジ９が螺合している。この高さ調整ネジ９は芯棒４の下端部に位置しているので、軸受部３ａの下端開口から冶具（図示せず）を挿入して高さ調整ネジ９を芯棒４の軸方向に前進・後退させることにより、リング５を上下させ、これに伴って扉端面取付用羽根板２と扉枠取付用羽根板３との間隙を調整でき、その結果、扉の取付け高さの調整が可能となる。
【００１５】
また、羽根板２には扉取付け用の複数の長穴７と丸孔８とが、羽根板３には扉枠取付用の複数の丸孔８が穿設されている。さらに、上記軸受部２ａ、３ａの両端開口部にはギボシ６、６が嵌着されている。
【００１６】
上記羽根板２、３は、図１（ｂ）に示すように、水平断面において、いずれも直角に曲折された第１の曲折部２ｂ、３ｂが形成され、さらに第１の曲折部２ｂ、３ｂよりも先端側に直角に曲折された第２の曲折部２ｃ、３ｃが形成されている。前記長穴７や丸孔８は第２の曲折部２ｃ、３ｃと羽根板先端との間の平面部に形成されている。
【００１７】
この実施形態にかかる扉の取付構造を図３および図４に示す。図３において、１３は建物の壁部であり、この壁部１３に形成された開口に竪枠１１および上枠（図示せず）を取付けて扉枠が形成される。竪枠１１の内面には戸当り６０が取付けられ、竪枠１１の側面にはケーシング１２が取付けられる。
【００１８】
扉枠開口を塞ぐ扉１０は、端面がＬ字形の水平断面を有し、扉で扉枠内開口を閉じた状態で、扉の前記Ｌ字形端面が前記竪枠の内面および側面に対向する。そして、蝶番１の一方の羽根板３は、第１の曲折部３ｂおよび第２の曲折部３ｃが形成されているので、竪枠側面１１ａおよび竪枠内面１１ｂに接面させることができので、この接面状態で木ねじ２０を羽根板３の丸穴８からを介して竪枠１１に螺入して羽根板３を竪枠１１に固定する。
【００１９】
一方、他方の羽根板２は前記一方の羽根板３と同様に第１の曲折部２ｂおよび第２の曲折部２ｃを有しているので、扉１０の前記Ｌ字形端面１０ａに接面させることができる。この接面状態で木ねじ２１を羽根板３の長穴７および丸孔８を介して竪枠１１に螺入して羽根板３を竪枠１１に固定する。その際、予め長穴７を介して木ねじ２１を竪枠１１に螺入し、竪枠１１の幅方向に扉１０をスライドさせて、扉１０の取付け位置を微調整できる。
【００２０】
このようにして取付けられた扉１０は、該扉１０を閉じた状態で、端面１０ａが竪枠１１の側面１１ａおよび内面１１ｂに対向しているので、光や風などの漏洩が少なく、室内の断熱性、気密性を維持できる。
【００２１】
また、羽根板２、３の第１の曲折部２ｂ、３ｂは、図４に示すように、芯棒４から離隔しているので、蝶番１の取付け状態では、芯棒４は竪枠側面１１ａからほぼ垂直に突設した羽根板２、３の基端部の先端に位置している。このため、扉１０の回転中心、すなわち芯棒４は竪枠側面１１ａから離隔している。その結果、図５に示すように、芯棒４を回転中心として扉１０を回動させても、扉１０が竪枠側面１１ａのケーシング１２に当たることがない。特に扉１０を１８０度まで開くことができるので、扉枠内の開口を最大限利用することができる。
【００２２】
扉枠内での扉１０の取付け位置を微調整する場合、この実施形態では、前記した蝶番１を使用しているので、扉１０の取付け前および取付け後のいずれにおいても、長穴７および高さ調整ネジ９を使用して竪枠幅方向および／または高さ方向に容易に微調整ができる。
【００２３】
なお、本考案は上記の実施形態に限定されるものではなく、実用新案登録請求の範囲内で種々の変更や改善が可能である。
【図面の簡単な説明】
【００２４】
【図１】（ａ）は本考案の一実施形態にかかる蝶番を示す正面図、（ｂ）はその平面図である。
【図２】（ａ）は図１（ａ）のＸ−Ｘ線断面図、（ｂ）はそのＹ−Ｙ線断面図である。
【図３】本考案の一実施形態にかかる扉の取付構造を示す断面図である。
【図４】図３の要部拡大断面図である。
【図５】図３において扉を開放する動作状態を示す断面図である。
【図６】従来のＬ字形水平端面をもつ扉の取付け構造である。
【図７】従来の打込み式蝶番示す斜視図である。
【符号の説明】
【００２５】
１：蝶番、２：扉端面取付用羽根板、３：扉枠取付用羽根板、２ｂ、２ｃ：第１の曲折部、３ｂ、３ｃ：第２の曲折部、４：芯棒、５：リング、７：長穴、８：ネジ孔、９：高さ調整ネジ、１０：扉、１１：竪枠、１０ａ：扉端面
【図１】
0003113489.tif 000003
【図２】
0003113489.tif 000004
【図３】
0003113489.tif 000005
【図４】
0003113489.tif 000006
【図５】
0003113489.tif 000007
【図６】
0003113489.tif 000008
【図７】
0003113489.tif 000009